【手続補正書】
【提出日】平成26年10月2日(2014.10.2)
【手続補正１】
【補正対象書類名】明細書
【補正対象項目名】００９３
【補正方法】変更
【補正の内容】
【００９３】
２２．該通信ポートは、該ハウジングの該外表面上にコネクタを備え、医療用センサに物理的に接続するように構成され、該コネクタは、複数の異なる種類の医療用センサに接続するように動作可能である、実施形態２０又は２１に記載の方法。
本願発明に関連する発明の実施形態について以下に列挙する。
[実施形態１]
多機能医療用装置であって、
手持ち式操作用に構成されるハウジングと、
前記ハウジング内の処理ユニットと、
前記ハウジングに連結され、前記処理ユニットと通信する第１の医療用センサであって、医療測定信号を生成するように動作可能である、第１の医療用センサと、
前記処理ユニットに連結され、複数の異なる種類の医療用センサに接続するように動作可能なコネクタであって、それぞれの種類の医療用センサが、対応する医療測定信号を生成するように動作可能である、コネクタと、
を備え、前記処理ユニットが、前記コネクタに接続された第２の医療用センサの種類を決定し、前記コネクタに接続された前記第１の医療用センサ及び前記第２の医療用センサから医療測定信号を受信し、ネットワークを介して前記受信された信号を伝送するように構成され、
前記第１の医療用センサ及び前記第２の医療用センサが、使用中に同時に動作可能である、多機能医療用装置。
[実施形態２]
前記処理ユニットが、前記受信された信号を生成する前記医療用センサの前記対応する種類に基づき前記受信された信号を処理し、前記処理された信号に基づきデータパケットを作成し、ネットワークを介して前記データパケットを伝送するように構成される、実施形態１に記載の多機能医療用装置。
[実施形態３]
前記第１の医療用センサが、前記ハウジングの第１の端部に隣接して位置決めされた、聴診信号を感知する変換器を備える、実施形態１に記載の多機能医療用装置。
[実施形態４]
前記コネクタが、前記ハウジングの外表面上にあり、医療用センサに物理的に接続するように構成される、実施形態１に記載の多機能医療用装置。
[実施形態５]
前記第１の医療用センサが、検査カメラであり、前記ハウジングが、第１の端部及び前記第１の端部と反対側の第２の端部を有し、前記検査カメラが、前記ハウジングの前記第１の端部又は前記第２の端部の上に位置決めされる、実施形態１に記載の多機能医療用装置。
[実施形態６]
前記第１の医療用センサ及び前記第２の医療用センサが、聴診器、心電図検査用センサ、グルコース計測器、パルスオキシメーター、検査カメラ、血圧計、肺活量計、温度計、及び検眼鏡のうちの１つ以上を含む、実施形態１〜５のいずれか一項に記載の多機能医療用装置。
[実施形態７]
前記ハウジングの前記外表面の一部分上にユーザーインターフェースを更に備え、
前記ユーザーインターフェースの少なくとも一部分が、前記稼動中の医療用センサの種類に基づき医療用センサの種類の表示を示す、
実施形態１〜５のいずれか一項に記載の多機能医療用装置。
[実施形態８]
制御信号を生成するための制御ユニットを更に備え、前記ハウジングが、伸長された本体を有し、前記制御ユニットが、手持ち式の使用において、少なくとも部分的にアクセス可能であり、前記制御ユニットが、前記ハウジング内に位置し、前記処理ユニットに動作可能に接続された、加速度計、ジャイロスコープ、音声変換器、及び周辺光センサのうちの少なくとも１つを含む、実施形態１〜５のいずれか一項に記載の多機能医療用装置。
[実施形態９]
ユーザーインターフェースを更に備え、前記ユーザーインターフェースの構成が、前記制御信号に基づき変更される、実施形態８に記載の多機能医療用装置。
[実施形態１０]
多機能医療用装置であって、
手持ち式操作用に構成されるハウジングであって、外表面、伸長された本体、第１の端部、及び前記第１の端部と反対側の第２の端部を有する、ハウジングと、
前記ハウジング内の処理ユニットと、
前記ハウジングの前記第１の端部上に位置決めされた、前記処理ユニットに連結された検査カメラと、
前記ハウジングの外表面上のコネクタであって、前記コネクタが、前記処理ユニットに連結され、複数の異なる種類の医療用センサに接続するように動作可能であり、それぞれの種類の医療用センサが、対応する医療測定信号を生成するように動作可能である、コネクタと、
を備え、前記処理ユニットが、前記コネクタに接続された医療用センサの種類を決定し、前記コネクタに接続された前記検査カメラ及び前記医療用センサから医療測定信号を受信するように構成される、多機能医療用装置。
[実施形態１１]
医療用装置であって、
手持ち式操作用に構成されるハウジングと、
医療用センサから生成された医療測定信号を受信するための通信ポートと、
前記医療測定信号を受信し、第１の安全な無線接続を介して前記医療測定信号を示す第１のデータを伝送するように構成される、前記ハウジング内のプロセッサと、を備える、医療用装置と、
ユーザーインターフェースを備える第１のコンパニオン装置であって、第２の安全な無線接続を介して前記医療用装置から前記第１のデータを受信し、前記第１のコンパニオン装置の前記ユーザーインターフェース上に前記第１のデータの表示を提示するように構成される、第１のコンパニオン装置と、
を備え、前記医療用装置が、前記医療用装置を登録し、認証する要求をサーバーに送信することができ、前記第１のコンパニオン装置が、前記第１のコンパニオン装置を登録し、認証する要求をサーバーに送信することができる、システム。
[実施形態１２]
ユーザーインターフェースを備える第２のコンパニオン装置であって、前記医療用装置及び前記第１のコンパニオン装置のうちの少なくとも１つから伝送された第２のデータを受信し、前記第２のコンパニオン装置のユーザーインターフェース上に前記第２のデータの表示を提示するように構成される、第２のコンパニオン装置を更に備える、実施形態１１に記載のシステム。
[実施形態１３]
前記通信ポートが、前記ハウジングの前記外表面上にコネクタを備え、医療用センサに物理的に接続するように構成され、前記コネクタが、複数の異なる種類の医療用センサに接続するように動作可能である、実施形態１１又は１２に記載のシステム。
[実施形態１４]
前記医療用装置が、前記サーバー上で認証された前記第１のコンパニオン装置のみと通信するように構成される、実施形態１１又は１２に記載のシステム。
[実施形態１５]
医療用装置によって、医療測定信号を生成する工程と、
前記医療用装置によって、第１の安全な無線ネットワークを介して前記医療測定信号を示す第１のデータを伝送する工程と、
第１のコンパニオン装置によって、第２の安全な無線ネットワークを介して前記医療用装置から前記第１のデータを受信する工程と、
前記第１のコンパニオン装置によって、ユーザーインターフェース上に前記第１のデータの表示を提示する工程と、
サーバーによって、前記医療用装置から伝送された要求に基づき前記医療用装置を登録し、認証する工程と、
前記サーバーによって、前記第１のコンパニオン装置から伝送された要求に基づき前記第１のコンパニオン装置を登録し、認証する工程と、
を含む、方法。
【手続補正２】
【補正対象書類名】特許請求の範囲
【補正対象項目名】全文
【補正方法】変更
【補正の内容】
【特許請求の範囲】
【請求項１】
多機能医療用装置であって、
手持ち式操作用に構成されるハウジングと、
前記ハウジング内の処理ユニットと、
前記ハウジングに連結され、前記処理ユニットと通信する第１の医療用センサであって、医療測定信号を生成するように動作可能である、第１の医療用センサと、
前記処理ユニットに連結され、複数の異なる種類の医療用センサに接続するように動作可能なコネクタであって、それぞれの種類の医療用センサが、対応する医療測定信号を生成するように動作可能である、コネクタと、
を備え、前記処理ユニットが、前記コネクタに接続された第２の医療用センサの種類を決定し、前記コネクタに接続された前記第１の医療用センサ及び前記第２の医療用センサから医療測定信号を受信し、ネットワークを介して前記受信された信号を伝送するように構成され、
前記第１の医療用センサ及び前記第２の医療用センサが、使用中に同時に動作可能である、多機能医療用装置。
【請求項２】
多機能医療用装置であって、
手持ち式操作用に構成されるハウジングであって、外表面、伸長された本体、第１の端部、及び前記第１の端部と反対側の第２の端部を有する、ハウジングと、
前記ハウジング内の処理ユニットと、
前記ハウジングの前記第１の端部上に位置決めされた、前記処理ユニットに連結された検査カメラと、
前記ハウジングの外表面上のコネクタであって、前記コネクタが、前記処理ユニットに連結され、複数の異なる種類の医療用センサに接続するように動作可能であり、それぞれの種類の医療用センサが、対応する医療測定信号を生成するように動作可能である、コネクタと、
を備え、前記処理ユニットが、前記コネクタに接続された医療用センサの種類を決定し、前記コネクタに接続された前記検査カメラ及び前記医療用センサから医療測定信号を受信するように構成される、多機能医療用装置。
【請求項３】
医療用装置であって、
手持ち式操作用に構成されるハウジングと、
医療用センサから生成された医療測定信号を受信するための通信ポートと、
前記医療測定信号を受信し、第１の安全な無線接続を介して前記医療測定信号を示す第１のデータを伝送するように構成される、前記ハウジング内のプロセッサと、を備える、医療用装置と、
ユーザーインターフェースを備える第１のコンパニオン装置であって、第２の安全な無線接続を介して前記医療用装置から前記第１のデータを受信し、前記第１のコンパニオン装置の前記ユーザーインターフェース上に前記第１のデータの表示を提示するように構成される、第１のコンパニオン装置と、
を備え、前記医療用装置が、前記医療用装置を登録し、認証する要求をサーバーに送信することができ、前記第１のコンパニオン装置が、前記第１のコンパニオン装置を登録し、認証する要求をサーバーに送信することができる、システム。
【請求項４】
医療用装置によって、医療測定信号を生成する工程と、
前記医療用装置によって、第１の安全な無線ネットワークを介して前記医療測定信号を示す第１のデータを伝送する工程と、
第１のコンパニオン装置によって、第２の安全な無線ネットワークを介して前記医療用装置から前記第１のデータを受信する工程と、
前記第１のコンパニオン装置によって、ユーザーインターフェース上に前記第１のデータの表示を提示する工程と、
サーバーによって、前記医療用装置から伝送された要求に基づき前記医療用装置を登録し、認証する工程と、
前記サーバーによって、前記第１のコンパニオン装置から伝送された要求に基づき前記第１のコンパニオン装置を登録し、認証する工程と、
を含む、方法。